(57)【特許請求の範囲】
【請求項１】
外包体（２０）及び該外包体（２０）の内部に設けられたキャスター格納機構（３０）を有する台座部分（１２）と、該台座部分（１２）の上方に固定された移動体本体（１１）とからなり、
上記キャスター格納機構（３０）は、基端部（３２）が上記外包体（２０）に回動自在に支持されているキャスター部（３１）と、一端部（４２）が該キャスター部（３１）に連結された左右一対の第１リンク部材（４０）と、該第１リンク部材（４０）の他端部（４２'）に左右両端部が連結された中央支持部材（６０）と、一端部が該第１リンク部材（４０）及び該中央支持部材（６０）の連結部（７０）において且つ他端部が上記外包体（２０）に設けられた枢点（８３）において枢動自在に支持されている左右一対の第２リンク部材（８０）とからなることを特徴とする移動体。
【請求項２】
上記移動体本体（１１）は、長尺のフェンス状部材であり、上記台座部分（１２）は、上記移動体本体（１１）の左右両末端において一対に２個設けられていることを特徴とする請求項１記載の移動体。
【請求項３】
上記キャスター格納機構（３０）は、更に、一端が上記外包体（２０）に固定されており、上記中央支持部材（６０）を貫通するように設けられた上記左右一対の摺動軸（９０）を有することを特徴とする請求項１記載の移動体。
【請求項４】
上記キャスター格納機構（３０）は、更に、上記キャスター部（３１）の収容時及び使用時にキャスター部（３１）の位置を固定するストッパー手段（１００）を有し、
上記ストッパー手段（１００）は、上記外包体（２０）の内部において上記中央支持部材（６０）及び上記外包体の一側壁（２１）の間に固定された、上記キャスター格納機構（３０）を支持する支持部材（１１０）と、該支持部材（１１０）に対向して且つ上記中央支持部材（６０）を貫通して設けられた位置決め部材（１２０）とにより構成されており、
上記支持部材（１１０）には、上記キャスター部（３１）の収容時及び使用時において上記位置決め部材（１２０）の先端部（１２１）と嵌合される嵌合孔（１１１）を有しており、
上記位置決め部材（１２０）は、上記中央支持部材（６０）内部に設けられたバネ部材（１２４）によって上記支持部材（１１０）に向けて付勢されていることを特徴とする請求項１記載の移動体。
【発明の詳細な説明】
【０００１】
【発明の属する技術分野】
本発明は、移動フェンスなどの移動体に関し、更に詳細には、移動時はキャスターの作用により容易に移動可能であり、設置時及び保管時においては該キャスターを収容できる移動体に関する。
【０００２】
【従来の技術及び発明が解決しようとする課題】
移動フェンスや、移動道路標識等の移動表示体等の移動体は、種々の分野において利用されている。
【０００３】
従来の移動体は、上部表示本体の下端部にキャスターが取り付けられており、該キャスターにはキャスターの回転を止めるストッパーが設けられてなるものであった。
【０００４】
しかし、このような従来の移動体は、その設置時に単にキャスターの回転をストッパーにより停止させておくだけのものであったため、設置途中においてストッパーが外れてしまう等して設置時における設置状態を保持できない（即ち、設置時において移動体が動いてしまう）という問題や、外観が悪いなどの問題があった。
【０００５】
従って、本発明の目的は、移動フェンスなどの移動体において、設置時における外観が良好であり、更には設置時における設置状態を良好に保つことが可能な移動体を提供することにある。
【０００６】
【課題を解決するための手段】
本発明は、外包体及び該外包体の内部に設けられたキャスター格納機構を有する台座部分と、該台座部分の上方に固定された移動体本体とからなり、上記キャスター格納機構は、基端部が上記外包体に回動自在に支持されているキャスター部と、一端部が該キャスター部に連結された左右一対の第１リンク部材と、該第１リンク部材の他端部に左右両端部が連結された中央支持部材と、一端部が該第１リンク部材及び該中央支持部材の連結部において且つ他端部が上記外包体に設けられた枢点において枢動自在に支持されている左右一対の第２リンク部材とからなることを特徴とする移動体を提供することにより上記目的を達成したものである。
【０００７】
上記移動体本体は、長尺のフェンス状部材であり、上記台座部分は、上記移動体本体の左右両末端において一対に２個設けられていることが好ましい。
【０００８】
上記キャスター格納機構は、更に、一端が上記外包体に固定されており、上記中央支持部材を貫通するように設けられた上記左右一対の摺動軸を有することが好ましい。
【０００９】
また上記キャスター格納機構は、更に、上記キャスター部の収容時及び使用時にキャスター部の位置を固定するストッパー手段を有し、上記ストッパー手段は、上記外包体の内部において上記中央支持部材及び上記外包体の一側壁の間に固定された、上記キャスター格納機構を支持する支持部材と、該支持部材に対向して且つ上記中央支持部材を貫通して設けられた位置決め部材とにより構成されており、上記支持部材には、上記キャスター部の収容時及び使用時において上記位置決め部材の先端部と嵌合される嵌合孔を有しており、上記位置決め部材は、上記中央支持部材内部に設けられたバネ部材によって上記支持部材に向けて付勢されていることが好ましい。
【００１０】
【発明の実施の形態】
以下、本発明の移動体の一形態について図面を参照して詳細に説明する。
【００１１】
ここで、図１は、本発明の移動体の一形態としての移動フェンスを示す斜視図であり、図２は、図１に示す移動フェンスにおける台座部分を示す内部透視図であり、図３は、図２のIII-III断面図であり、図４は、設置時におけるキャスター格納機構の状態を示す台座部分の内部透視図（図２相当図）である。
【００１２】
本発明の移動体としての本形態の移動フェンス１は、図１及び２に示すように、外包体２０及び該外包体２０の内部に設けられたキャスター格納機構３０を有する台座部分１２と、該台座部分１２の上方に固定された移動体本体１１とからなり、上記キャスター格納機構３０は、基端部３２が上記外包体２０に回動自在に支持されているキャスター部３１と、一端部４２が該キャスター部３１に連結された左右一対の第１リンク部材４０と、該第１リンク部材４０の他端部４２’に左右両端部が連結された中央支持部材６０と、一端部が該第１リンク部材４０及び該中央支持部材６０の連結部７０において且つ他端部が上記外包体２０に設けられた枢点８３において枢動自在に支持されている左右一対の第２リンク部材８０とからなる。
【００１３】
以下、更に本形態の移動フェンス１について詳述する。
【００１４】
図１に示すように、上記移動体本体１１は、長尺のフェンス状部材であり、上記台座部分は、上記移動体本体１１の左右両末端において一対に２個設けられている。
【００１５】
上記台座部分１２を構成する上記外包体２０は、下方端面に開口２３が設けられた、中空の箱体であり、上部の長手方向両端部がテーパー状となされている。
【００１６】
上記台座部分１２を構成する上記キャスター格納機構３０は、図２〜４に示すように、上記キャスター部３１と上記第１リンク部と上記中央支持部材６０と上記第２リンク部材８０とからなる。
【００１７】
上記キャスター部３１は、図２及び３に示すように、車輪３３と該車輪３３を回転自在に保持する車輪保持部材３４とからなる。該車輪保持部材３４は、内外一対の壁部材３５と、一対の該壁部材３５を連結する一対の連結板３６と、該壁部材３５及び該連結板３６の上端に位置する天板３７とからなる。そして、内方の壁部材３５には、第１リンク部材４０と連結する連結突部３８が設けられている。また、該連結板３６の上端部は、支持棒３９を介して上記外包体２０の側壁２１に支持されている。これにより、該キャスター部３１が、台座部分１２の長手方向に回動自在に上記外包体２０に支持されている。
【００１８】
上記第１リンク部材４０は、図２及び３に示すように、２枚の板状部材４１からなり、その長手方向両端部４２，４２’が、上記連結突部３８及び後述する中央支持部材６０の側面を覆うように設けられている。
【００１９】
そして、上記キャスター部３１と上記第１リンク部材４０とは、上記連結突部３８と上記第１リンク部材４０の一端部４２とが、図２及び３に示すように、ボルト及びナットからなる連結金具５０を介して連結されている。
【００２０】
上記中央支持部材６０は、肉厚の板状体であり、その左右両端部６１、６１’には、長軸の開口部６２が設けられている。
【００２１】
そして、上記第１リンク部材４０と上記中央支持部材６０とは、該第１リンク部材４０の他端部４２’と上記開口部６２とにおいて、ボルト及びナットからなる連結金具７１を介して連結されて上記連結部７０を形成している。
【００２２】
上記第２リンク部材８０は、図２及び図３に示すように、それぞれ側面形状がほぼＳ字状になるように、そのほぼ中央部において２カ所略垂直に折り曲げられてなる板体である。該第２リンク部材８０の一端部８１は、上記連結金具７１を介して上記連結部７０にて、上記第１リンク部材４０及び上記中央支持部材６０に連結されており、他端部８２は、短軸の棒状体からなる枢点８３にて、外包体２０及び後述する支持部材１１０に連結されている。
【００２３】
また、上記キャスター格納機構３０は、更に、一端が上記外包体２０に固定されており、上記中央支持部材６０を貫通するように設けられた上記左右一対の摺動軸９０を有する。
【００２４】
上記摺動軸９０は、長軸の棒状体であり、台座部分１２の中心軸を境として等間隔に２本設けられており且つ台座部分１２の天板に対して垂直に固定されて設けられている。
【００２５】
また、上記キャスター格納機構３０は、更に、上記キャスター部３１の収容時及び使用時にキャスター部３１の位置を固定するストッパー手段１００を有する。上記ストッパー手段１００は、上記外包体２０の内部において上記中央支持部材６０及び上記外包体２０の一側壁２１の間に固定された、上記キャスター格納機構３０を支持する支持部材１１０と、該支持部材１１０に対向して且つ上記中央支持部材６０を貫通して設けられた位置決め部材１２０とにより構成されており、上記支持部材１１０には、上記キャスターの収容時及び使用時において上記位置決め部材１２０の先端部１２１と嵌合される上下２つの嵌合孔１１１を有しており、上記位置決め部材１２０は、上記中央支持部材６０内部に設けられたバネ部材としてのコイルスプリング１２４によって上記支持部材１１０に向けて付勢されている。
【００２６】
上記支持部材１１０は、長方体状の板体であり、上記天板に固定されて設けられている。
【００２７】
上記位置決め部材１２０は、棒状体であり、その基端部には操作摘み１２３が設けられている。
【００２８】
また、下方の上記嵌合孔１１１は、上記枢点８３と対向する位置に設けられている。
【００２９】
上記コイルバネは、上記中央支持部材６０の内部に格納されており、従って、該中央支持部材６０における上記位置決め部材１２０を貫通させる貫通孔は、上記支持部材１１０側の内径が太くなされている。
【００３０】
さらに、上記摺動軸９０に対応して該摺動軸９０を受け入れる穴を有する下限押さえ板１３０を上記外包体２０下部に溶接等により取り付けて、移動設置時に上記キャスター部３１を引き出す際に上記中央支持部材６０が上記外包体２０から外方に飛び出すことを防止するようにしてもよい。
【００３１】
また、上述した各部材は、それぞれ、通常のキャスターや移動体に用いられる材料を適宜選択して用いて、通常の方法で形成されるものであり、例えば、上記外包体２０や中央支持部材６０等の形成材料としては、ステンレスや樹脂等を用いることができる。
【００３２】
そして、このように構成された本発明の移動体は、下記の如く作動する。
【００３３】
即ち、移動時においては、図２及び３に示すように、上記外包体２０の下方端面の開口２３から上記キャスター部３１の車輪３３が突出する。この際、上記第２リンク部材８０が上記第１リンク部材４０の矢印方向への移動を抑制し、且つ上記位置決め部材１２０の先端部１２１が下方の嵌合孔１１１に嵌合されるため中央支持部材６０の上下動も抑制される。このような、第２リンク部材８０と位置決め部材１２０の作用により、車輪３３が安定して地面に接地するので、良好に移動を行うことができる。
【００３４】
また、上記移動フェンス１の設置時（保存時）においては、上記操作摘み１２３を引っ張り上記位置決め部材１２０を上記嵌合孔１１１から外す。そして、操作摘み１２３を上方に持ち上げることにより、図４に示すように、中央支持部材６０を上方に持ち上げる。これにより、上記連結部７０が、上記第２リンク部材８０に連結されているため、上記支持部材１１０側に移動する。更に、上記第１リンク部材４０の他端部が、該支持部材１１０側に移動し、上記キャスター部３１が上方に持ち上げられ、上記車輪３３が地面に接しない状態となる。更に、上記位置決め部材１２０の先端部１２１を、上方の嵌合孔１１１に嵌合させることにより、この、キャスター部３１材の持ち上げられた状態が良好に保持される。また、仮に位置決め部材１２０が外れたとしても、意図的にキャスター部３１を開口２３から突出させて、且つ位置決め部材１２０を下方の嵌合孔１１１に嵌合させない限り、移動可能に車輪３３を設地させることができない。
【００３５】
上述のように、本形態の移動フェンス１は作用するように構成されたものであるため、設置時における外観が良好であり、設置時における設置状態を良好に保つことができる、即ち、設置した際にストッパーが外れて動いてしまうことがないものである。
【００３６】
なお、本発明の移動体は、上述の形態に何ら制限されるものではなく、本発明の趣旨を逸脱しない範囲で種々変形可能である。
【００３７】
例えば、上記の形態においては、移動フェンス１を例示して説明したが、本発明の移動体はこれに限られず、移動可能な道路標識などの移動表示体等として適用することもできる。
【００３８】
また、上記台座部分１２は１つのみとしてもよい。この際、上記移動体本体１１は棒状部材等とすることができる。
【００３９】
【発明の効果】
本発明の移動体は、設置時における外観が良好であり、設置時における設置状態を良好に保つことができるものである。
【図面の簡単な説明】
【図１】図１は、本発明の移動体の一形態としての移動フェンスを示す斜視図である。
【図２】図２は、図１に示す移動フェンスにおける台座部分を示す内部透視図である。
【図３】図３は、図２のIII-III断面図である。
【図４】図４は、設置時におけるキャスター格納機構の状態を示す台座部分の内部透視図（図２相当図）である。
【符号の説明】
１  移動フェンス
１１  移動体本体
１２  台座部分
２０  外包体
２１  側壁
２２  天板
３０  キャスター格納機構
３１  キャスター部
３２  基端部
３３  車輪
３４  車輪保持部材
３５  壁部材
３６  連結板
３７  天板
３８  連結突部
３９  支持棒
４０  第１リンク部材
４１  板状部材
４２  端部
５０  連結金具
６０  中央支持部材
６１  端部
６２  開口部
７０  連結部
７１  連結金具
８０  第２リンク部材
８１  一端部
８２  他端部
８３  枢点
９０  摺動軸
１００  ストッパー手段
１１０  支持部材
１１１  嵌合孔
１２０  位置決め部材
１２１  先端部
１２２  基端部
１２３  操作摘み
１２４  コイルスプリング
【図１】
0003682134.tif 000002
【図２】
0003682134.tif 000003
【図３】
0003682134.tif 000004
【図４】
0003682134.tif 000005